(57)【特許請求の範囲】
【請求項１】
建築物の外装壁として複数のパネルを併設し、隣接するパネルの相互に対面する小口端部に相互に向き合った溝を形成し、相互に対面する溝の少なくとも一方の溝内壁に押出成形体からなる気密材を設けて、この気密材により溝と建築物の内部空間との通気を遮断し、相互に対面する溝の少なくとも一方の溝外壁に押出成形体からなる雨除け材を設けて、この雨除け材により溝内と外部空間とを連通する通気排水口を形成し、溝内の風圧を外部と略同じにして風圧による雨水の侵入を防止するとともに、溝内に侵入した雨水を気密材に接触させずに外部空間へ排水するようになした縦ジョイントと横ジョイントとを有する等圧排水ジョイントであって、
少なくとも縦ジョイントの下方に、押出成形体からなる内壁水切りを横ジョイントの気密材と一体的に設けるとともに、この内壁水切りを横ジョイントの下側雨除け材側へ向けて斜め下方へ延ばして、その先端部下面を下側雨除け材の上側に当接せしめ、内壁水切りにより縦ジョイント及び横ジョイントの気密材の上部を覆うことを特徴とする等圧排水ジョイント。
【請求項２】
前記内壁水切りを横ジョイントの全長に渡って設けた請求項１記載の等圧排水ジョイント。
【請求項３】
前記内壁水切りの下面の途中部を横ジョイントの下側雨除け材の先端部に当接させた請求項１または２記載の等圧排水ジョイント。
【請求項４】
前記内壁水切りの先端部が直接横ジョイントの溝外壁に当接する請求項１または２記載の等圧排水ジョイント。
【請求項５】
前記内壁水切りに下側雨除け材の下側へ延びる第２内壁水切りを設けた請求項１〜４のいずれか１項記載の等圧排水ジョイント。
【請求項６】
前記内壁水切りに気密材の圧接面を覆う第３内壁水切りを設けた請求項１〜５のいずれか１項記載の等圧排水ジョイント。
【請求項７】
前記内壁水切りに代えて、横ジョイントの下側雨除け材に建築物の内部側へ向けて斜め上方へ延びて溝内壁または溝底壁に当接または固定した雨除け材延長部を一体的に形成した請求項１または２記載の等圧排水ジョイント。
【請求項８】
横ジョイントの少なくとも上側の溝内壁に気密材を設けるとともに、この気密材に建築物の外部側へ向けて斜め下方へ延びる気密材水切りを設けた請求項１〜７のいずれか１項記載の等圧排水ジョイント。
【請求項９】
枠材の内周面に溝を形成し、この溝に外縁部を装着して開口部を閉塞するパネルを設け、溝内壁とパネル間に押出成形体からなる気密材を設けて、この気密材により溝と室内側の内部空間との通気を遮断し、溝外壁とパネルに押出成形体からなる雨除け材を設けて、この雨除け材に溝内と外部空間とを連通する通気排水口を形成し、溝内の風圧を外部と略同じにして風圧による雨水侵入を防止するとともに、溝内に侵入した雨水を気密材に接触させずに外部空間へ排水するようになした縦ジョイントと横ジョイントとを有する等圧排水ジョイントであって、
上側の横ジョイントの雨除け材に、斜め上方へ延びて溝内壁または溝底壁または内壁水切りに当接または固定した、雨除け材延長部を気密材を覆うように形成した、
ことを特徴とする等圧排水ジョイント。
【請求項１０】
枠材の内周面に溝を形成し、この溝に外縁部を装着して開口部を閉塞するパネルを設け、溝内壁とパネル間に押出成形体からなる気密材を設けて、この気密材により溝と室内側の内部空間との通気を遮断し、溝外壁とパネルに押出成形体からなる雨除け材を設けて、この雨除け材に溝内と外部空間とを連通する通気排水口を形成し、溝内の風圧を外部と略同じにして風圧による雨水侵入を防止するとともに、溝内に侵入した雨水を気密材に接触させずに外部空間へ排水するようになした縦ジョイントと横ジョイントとを有する等圧排水ジョイントであって、
下側の横ジョイントの気密材に、斜め下方へ延びて溝外壁または溝底面に当接または固定した、気密材と一体の内壁水切り部を気密材を覆うように形成した、
ことを特徴とする等圧排水ジョイント。
【請求項１１】
上側の横ジョイントの雨除け材に、斜め上方へ延びて溝内壁または溝底壁または内壁水切りに当接または固定した、雨除け材延長部を気密材を覆うように形成した請求項１０記載の等圧排水ジョイント。
【発明の詳細な説明】
【０００１】
【発明が属する技術分野】
本発明は、建築物の外壁パネル相互のジョイントや、カーテンウォールやサッシの枠材のジョイント、枠とガラスのジョイントなどに好適な等圧排水ジョイントに関する。
【０００２】
【従来の技術】
建築物の外装パネルを連結するための構造として、図１２に示すように、隣接するパネル１００の相互に対面する小口端部に相互に向き合った溝１０１を形成し、相互に対面する溝１０１の少なくとも一方の溝内壁に気密材１０２を設けて、この気密材１０２により溝と建築物の内部空間との通気を遮断し、相互に対面する溝の少なくとも一方の溝外壁に雨除け材１０３を設けて、この雨除け材１０３により外部空間から溝内への雨水の侵入を防止するとともに、この雨除け材１０３に溝１０１と外部空間とを連通する通気排水口１０４を設けて、溝１０１内に侵入した雨水を外部空間へ排水し且つ溝の内圧を外気圧と略同じに設定するようになした縦ジョイント１１０と横ジョイントとを有する等圧排水ジョイントが広く採用されている。
【０００３】
この等圧排水ジョイントでは、雨除け材により溝内への雨水の侵入を防止するとともに、溝内に侵入した雨水を雨除け材に形成した通気排水口から排出し、気密材に対して雨水を付着させないようにすることで、気密材に欠陥が発生した場合でも、室内への漏水の発生を確実に防止できる。つまり、気密材に欠陥があることを前提として、漏水を防止できるように構成しているので信頼性が極めて高い。しかし、気密材に対する雨水の付着を確実に防止するため、雨除け材と気密材とは十分な距離をあけて配置するのが通例であり、また溝を等圧通気のダクトとして用いる場合にも、溝の断面積を大きく設定して通気抵抗を低くするため、雨除け材と気密材との間隔は金属パネルで１００ｍｍ以上、プレキャストコンクリートパネルでは１５０〜２００ｍｍを必要とするのが一般的であり、雨除け材と気密材が接触するほど接近させることは避ける必要があった。このため、隣接するパネルの接合部の壁厚を１００ｍｍ以上の厚肉に構成する必要があり、製作コストの上昇や配設スペースが大きくなるという問題がある。
【０００４】
また、一般にパネルの縦ジョイントは、横ジョイントに侵入した雨水の排水を受け持つ場合もあり、また特に縦長のパネルでは雨水の流下長さが大きく、また落下距離も大きいことから、雨水が落下中や落下後に飛沫になり易いこと、流下中に気密材の僅かな空気漏れに引かれて飛沫が気密材に付着し易いこと、迷路を有する縦雨除け材でも流下中に迷路の裏面に水が回り易いことなど、横ジョイントより使用条件が厳しく、上階からの雨水が累積すると溝内の水が多くなり過ぎるため、図１２，図１３に示すように、縦ジョイント１１０に対して高さ方向に一定間隔おきにキャッチパン１１１を設けて、縦溝１０１内を落下する雨水を捕集し速やかに外部に排出することが必要であった。尚、符号１１２は横ジョイントであり、符号１１３は横ジョイント１１２の気密材である。
【０００５】
【発明が解決しようとする課題】
このようなキャッチパンは、外部側の雨除け材と内部側の気密材の間隔が開いている場合には、雨除け材及び気密材とは明確に別部品で構成されるとともに、縦排水溝の断面形状に合わせた形状に構成され、縦排水溝を塞ぐように配置されて雨水を受けることになる。また、キャッチパンに要求される使用条件として、飛沫で気密材を濡らさず縦雨除け材の外へ雨水を排出するように外部に傾斜した勾配や排水溝を有すること、それより下側の溝内に漏水しないこと、裏面に水が回らないこと、またその取付部がパネルの熱膨張収縮や地震による層間変位によるパネルの接合目地の変形部にあること、日射や雨水に長期間耐えることなどが要求され、一般的には各種変形に対して弾性的に追従出来る高性能耐候性ゴムの成形品や立体的加工品を用いる必要があり、ゴム成形型の製作、製造手数、加工等のコストが高くなるという問題がある。しかも、隣接するパネルの境界部分にあるため、パネルの施工前に取付ける場合においても、パネルの施工後に取付ける場合においても、多くの技術的配慮が必要であり、取付作業が煩雑になるという問題があった。
【０００６】
また、経済性よりもパネルの厚みを薄くすることを優先しつつ、防水性に対する長期の信頼性の高い等圧排水ジョイントを従来方式で作るには、等圧通気の確保、雨除け材、気密材、キャッチパンの配置を考慮して、パネル厚さは経験的に最低でも５０ｍｍは必要で、しかもこのようにパネル厚さを薄くする場合には、図１２に示すように、溝空間が狭いので落下水が付着し易い縦気密材１０２をパネル１００の室内側の外面に設け、ジョイントの内部側から添え当てる様に配置することにより、縦雨除け材１０３と縦気密材１０２の間隔を確保し、キャッチパン１１１を設置するスペースを確保するなどの工夫を要した。
【０００７】
しかも、建築物の外壁を横長パネルで構成する場合には、隣接するパネル１００の縦ジョイント１１０の背後にバックマリオン（背後支柱）１２０を設けるので、バックマリオン１２０の外面に縦ジョイント１１０に沿って縦気密材１０２を予め取り付けることで、前述のような等圧排水ジョイントを構成できるが、建築物の外壁を縦長パネルで構成し、しかもパネルとして強度、剛性が高くパネルサイズの大きいハニカムパネルを用いる場合には、バックマリオンを省略して階高程度のパネルを構造梁や耐風梁に直接的に取り付けることから、縦気密材が固定できなくなる。このため、このような構成の建築物では、パネルの厚さを大きく設定する必要があり、製作コストの上昇や配設スペースの拡大が余儀なくされているのが実状である。
【０００８】
本発明の目的は、水密性を十分に確保しつつ、厚さ５０ｍｍ以下のパネルに対しても組み付け可能な等圧排水ジョイントを提供することである。
【０００９】
【課題を解決するための手段及びその作用】
本発明に係る第１の等圧排水ジョイントは、建築物の外装壁として複数のパネルを併設し、隣接するパネルの相互に対面する小口端部に相互に向き合った溝を形成し、相互に対面する溝の少なくとも一方の溝内壁に押出成形体からなる気密材を設けて、この気密材により溝と建築物の内部空間との通気を遮断し、相互に対面する溝の少なくとも一方の溝外壁に押出成形体からなる雨除け材を設けて、この雨除け材により溝内と外部空間とを連通する通気排水口を形成し、溝内の風圧を外部と略同じにして風圧による雨水の侵入を防止するとともに、溝内に侵入した雨水を気密材に接触させずに外部空間へ排水するようになした縦ジョイントと横ジョイントとを有する等圧排水ジョイントであって、少なくとも縦ジョイントの下方に、押出成形体からなる内壁水切りを横ジョイントの気密材と一体的に設けるとともに、この内壁水切りを横ジョイントの下側雨除け材側へ向けて斜め下方へ延ばして、その先端部下面を下側雨除け材の上側に当接せしめ、内壁水切りにより縦ジョイント及び横ジョイントの気密材の上部を覆うものである。
【００１０】
この等圧排水ジョイントでは、雨除け材により外部空間から溝内への雨水の侵入が防止されるとともに、雨除け材に形成した通気排水口により、溝内の風圧（圧力）が外部の風圧（外気圧）と略同じに設定されて、外部空間との圧力差による溝内への雨水の侵入が防止され、また万一溝内に雨水が侵入しても、侵入した雨水は雨除け材に案内されて通気排水口を通って外部へ排出され、気密材に対する雨水の付着が効果的に防止されることになる。
【００１１】
また、この等圧排水ジョイントでは、少なくとも縦ジョイントの下方において横ジョイントに、建築物の外部側へ向けて斜め下方へ延び、先端部下面を下側雨除け材の上側に当接させた内壁水切りを設け、内壁水切りにより縦ジョイント及び横ジョイントの気密材の上部を覆うように構成しているので、縦ジョイントの縦溝を流下する雨水は、内壁水切り及び横ジョイントの雨除け材で受け止められて、外部へ排出されることになる。このため、縦ジョイントに対してキャッチパンを設けることなく、縦溝を流下する雨水を外部に円滑に排出することが可能となる。
【００１２】
更に、下側雨除け材及び内壁水切りにより、横ジョイントの通気排水口よりの侵入水、縦ジョイント上部よりの内壁溝底または、溝壁を落下する雨水を気密材に接触せしめずに外部に排水すると同時に、下側雨除け材とこれに当接する内壁水切りを等圧空間の水平区画として当該横ジョイント空間より上部の縦ジョイント空間へ等圧給気し、区画下部にも同様に下方縦ジョイントよりの等圧通気を供給することにより、下側雨除け材と内壁水切りとの当接部の上下の気圧差は僅かになり、当接部よりの気密材へのしぶきの発生を防止することにより、横ジョイントの気密材側への雨水やその飛沫の侵入を防止できるので、パネルの厚さを例えば５０ｍｍ以下の薄肉に構成して、雨除け材と気密材とを接近配置しつつ、気密材に対して雨水が付着しないようにして、室内側への雨水の侵入を確実に防止できる。しかも、雨除け材、気密材、内壁水切りを合成ゴムや合成樹脂材料の押出成形体で構成しているので、これらの部材を安価に製作することが可能である。
【００１３】
更にまた、内壁水切りを横ジョイントの気密材に一体的に形成しているので、等圧排水ジョイントの水密性を向上できるとともに、内壁水切りを気密材とともに組み付けることが可能となり、内壁水切り及び気密材の施工作業が煩雑になることを防止できる。しかも、内壁水切りを気密材と一体成形できるので、内壁水切りを設けることによる製作コストの上昇も抑制できる。尚、内壁水切りと気密材とは、一体に押出成形してもよいし、別々に製作して嵌合や接着により一体的に結合してもよい。
【００１４】
ここで、前記内壁水切りを横ジョイントの全長に渡って設けてもよい。この場合には、縦ジョイントの縦溝を流下する雨水の量が多くなっても、縦溝を流下する雨水を内壁水切り及び横ジョイントの雨除け材を介して確実に且つ円滑に外部へ排出することが可能となる。
【００１５】
前記内壁水切りの下面の途中部を横ジョイントの下側雨除け材の先端部に当接させると、横ジョイントの雨除け材を乗り越えて溝内に侵入しようとする雨水を内壁水切りの先端側部分で阻止することが可能となり、溝内への雨水の侵入を一層効果的に防止できる。
【００１６】
前記内壁水切りの先端部を直接横ジョイントの溝外壁に当接させてもよい。この場合には、内壁水切りで受け止めた雨水が溝外壁に沿って流下して、下側雨除け材のうちの建築物の外部側で受け止められて排出されるので、横ジョイントの気密材側への雨水やその飛沫の侵入を一層効果的に防止できる。
【００１７】
前記内壁水切りに下側雨除け材の下側へ延びる第２内壁水切りを設けてもよい。この場合には、雨水やその飛沫が下側雨除け材を乗り越えた場合でも、下側雨除け材を乗り越えた雨水やその飛沫を第２内壁水切りにより外部へ排出できるので、横ジョイントの気密材側への雨水やその飛沫の侵入を一層効果的に防止できる。
【００１８】
前記内壁水切りに気密材の圧接面を覆う第３内壁水切りを設けてもよい。この場合には、第３内壁水切りにより、気密材の圧接面に対する雨水やその飛沫の侵入をより効果的に防止できる。しかも、上下に配置する気密材として同一形状のものを採用できるので、気密材の製作コストが高くなることもない。
【００１９】
前記内壁水切りに代えて、横ジョイントの下側雨除け材に建築物の内部側へ向けて斜め上方へ延びて溝内壁または溝底壁に当接または固定した雨除け材延長部を一体的に形成してもよい。このように構成することで、等圧排水ジョイントの水密性を向上しつつ、製作コストの上昇を抑制でき、しかも施工作業が煩雑になることを防止できる。このような下側雨除け材を用いたパネルは、下側雨除け材を上側の溝内壁または溝底壁に接着等により予め固定し、パネルを上下に配置させた後、下側雨除け材を下側の溝壁部に嵌合等により固定することで、容易に施工できる。尚、「固定」とは、接着により固定する場合と、ビス等の固定具を用いて固定する場合と、嵌合や係合により連結固定する場合と、これらの組み合わせにより固定する場合を含むものとし、以下の説明においても同様に取り扱うものとする。
【００２０】
横ジョイントの少なくとも上側の溝内壁に気密材を設けるとともに、この気密材に建築物の外部側へ向けて斜め下方へ延びる気密材水切りを設けてもよい。この場合には、万一気密材に雨水が付着しても、この雨水は気密材水切りにより、横ジョイントの溝内に滴下され、気密材の気密圧接面側へ侵入することが防止されるので、室内側への雨水の侵入を一層効果的に防止することが可能となる。
【００２１】
本発明に係る第２の等圧排水ジョイントは、枠材の内周面に溝を形成し、この溝に外縁部を装着して開口部を閉塞するパネルを設け、溝内壁とパネル間に押出成形体からなる気密材を設けて、この気密材により溝と室内側の内部空間との通気を遮断し、溝外壁とパネルに押出成形体からなる雨除け材を設けて、この雨除け材に溝内と外部空間とを連通する通気排水口を形成し、溝内の風圧を外部と略同じにして風圧による雨水侵入を防止するとともに、溝内に侵入した雨水を気密材に接触させずに外部空間へ排水するようになした縦ジョイントと横ジョイントとを有する等圧排水ジョイントであって、上側の横ジョイントの雨除け材に、斜め上方へ延びて溝内壁または溝底壁または内壁水切りに当接または固定した、雨除け材延長部を気密材を覆うように形成したものである。
【００２２】
この第２の等圧排水ジョイントでは、雨除け材により外部空間から溝内への雨水の侵入が防止されるとともに、雨除け材に設けた通気排水口により、溝内の風圧（圧力）が外部の風圧（外気圧）と略同じに設定されて、外部空間との圧力差による溝内への雨水の侵入が防止され、また万一溝内に雨水が侵入しても、侵入した雨水は通気排水口を介して外部へ排出され、雨除け材に覆われた気密材に対する雨水が付着が防止されることになる。
【００２３】
また、この等圧排水ジョイントでは、上側の横ジョイントの雨除け材に斜め上方へ延びて溝内壁または溝底壁または内壁水切りに当接または固定した雨除け材延長部を形成しているので、溝内における雨除け材延長部よりも上側の空間に対して、雨水等が侵入してもこれを雨除け材延長部を介して円滑に外部へ排出することが可能となる。しかも、雨除け材延長部は雨除け材に一体形成されているので、押出成形等により容易に且つ安価に製作することが可能で、従来の雨除け材と同様にして組み付けることが可能で、組付性が低下することもない。
【００２４】
本発明に係る第３の等圧排水ジョイントは、枠材の内周面に溝を形成し、この溝に外縁部を装着して開口部を閉塞するパネルを設け、溝内壁とパネル間に押出成形体からなる気密材を設けて、この気密材により溝と室内側の内部空間との通気を遮断し、溝外壁とパネルに押出成形体からなる雨除け材を設けて、この雨除け材に溝内と外部空間とを連通する通気排水口を形成し、溝内の風圧を外部と略同じにして風圧による雨水侵入を防止するとともに、溝内に侵入した雨水を気密材に接触させずに外部空間へ排水するようになした縦ジョイントと横ジョイントとを有する等圧排水ジョイントであって、下側の横ジョイントの気密材に、斜め下方へ延びて溝外壁または溝底面に当接または固定した、気密材と一体の内壁水切り部を気密材を覆うように形成したものである。
【００２５】
この第３の等圧排水ジョイントにおいても、雨除け材により外部空間から溝内への雨水の侵入が防止されるとともに、雨除け材に設けた通気排水口により、溝内の風圧（圧力）が外部の風圧（外気圧）と略同じに設定されて、外部空間との圧力差による溝内への雨水の侵入が防止され、また万一溝内に雨水が侵入しても、侵入した雨水は通気排水口を介して外部へ排出され、気密材に対する雨水が付着が防止されることになる。
【００２６】
また、下側の横ジョイントの気密材に斜め下方へ延びて溝外壁または溝底面に当接または係合する気密材と一体の内壁水切り部を形成しているので、下側の水平ジョイントの雨除け材とパネル間の隙間から侵入した雨水は、内壁水切りにより受け止められ、中央部は縦ジョイントの雨除け材の外面に、左右は枠溝内を流下し、下段ジョイントで外部に排水され、内壁水切りによって覆われた縦気密材には雨水が付着しない。しかも内壁水切りは気密材に一体に形成されているので、押出成形等により容易に且つ安価に製作することが可能で、従来の気密材と同様にして組み付けることが可能で、組付性が低下することもない。
【００２７】
ここで、上側の横ジョイントの雨除け材に、斜め上方へ延びて溝内壁または溝底壁または内壁水切りに当接または固定した、雨除け材延長部を気密材を覆うように形成してもよい。この場合には、前記第２の等圧排水ジョイントと同様の作用が得られる。
【００２８】
【発明の実施の形態】
以下、本発明の実施の形態について図面を参照しながら説明する。
図１、図２に示すように、建築物の外装パネル１の等圧排水ジョイントは、左右に隣接する外装パネル１を連結する縦ジョイント２と、上下に隣接する外装パネル１を連結する横ジョイント３とを備えている。
【００２９】
外装パネル１としては、平板状や曲面状などの各種形状に形成した、ハニカムパネルや金属単板パネルなどの各種パネルを採用できる。
【００３０】
外装パネル１の外周部には押出成形品からなる縦フレーム４及び横フレーム５が設けられ、縦フレーム４には建築物の外部側（以下、単に外部側という）に配置される溝外壁４ａと建築物の内部側（以下、単に内部側という）に配置される溝内壁４ｂと溝底壁４ｃとで縦溝６が形成され、横フレーム５には外部側に配置される溝外壁５ａと内部側に配置される溝内壁５ｂと溝底壁５ｃとで横溝７が形成され、左右に隣接する外装パネル１は縦溝６を相互に対面させて配置され、上下に隣接する外装パネル１は横溝７を相互に対面させて配置されている。
【００３１】
縦ジョイント２について説明すると、図２に示すように、外装パネル１の左右の縦フレーム４の溝内壁４ｂ間にはその全長に渡って縦気密材１０が気密状に取付けられ、左右の溝外壁４ａ間には上下方向に細長いパネル間隙間が形成されるとともに、パネル間隙間を閉塞するように縦雨除け材１１が隙間に沿ってその全長に渡って取付けられている。
【００３２】
縦雨除け材１１は、左右両端部の外部側へ折曲させたパネル間隙間よりも幅の広い仕切板１１ａと、仕切板１１ａの外部側の面に相互に間隔をあけて突出状に形成した略Ｌ字状断面の１対の取付部１１ｂとを備え、取付部１１ｂの外端部を左右の溝外壁４ａの端部にそれぞれ嵌合させて左右の外装パネル１間に固定されている。左右の取付部１１ｂ間には上下方向に細長い通気排水口１２が形成され、取付部１１ｂの基部には高さ方向に一定間隔おきに貫通孔１３が形成され、通気排水口１２を介して取付部１１ｂ間に導入された外気は、矢印Ａで示すように、貫通孔１３を通って縦溝６内に流入するように構成されている。
【００３３】
縦気密材１０は発泡ゴムなどの軟質ゴムで構成され、縦雨除け材１１は硬質な合成ゴム材料或いは合成樹脂材料で構成され、両者は押出成形により製作されている。但し、縦雨除け材１１の貫通孔１３は後加工により形成することになる。
【００３４】
この縦ジョイント２では、縦雨除け材１１の通気排水口１２及び貫通孔１３を通って縦溝６内に外気が導入され、縦溝６内の風圧（圧力）が外部の風圧（外気圧）と略同じに設定される。また、雨水やその飛沫は外気と同様にして縦溝６内に流入しようとするが、縦気密材１０に至るまでの経路が縦雨除け材１１により複雑な迷路状に構成されているので、その大部分は縦雨除け材１１の外側に沿って流下し、その一部は縦雨除け材１１の内部排水空間８に侵入するが、縦溝６内にはほとんど侵入しないので、縦気密材１０に対する雨水の付着が効果的に防止され、十分な水密性が確保されることになる。
【００３５】
横ジョイント３について説明すると、図１に示すように、上側の横フレーム５の溝内壁５ｂには外方へ延びる内壁水切り１４がその全長に渡って設けられ、内壁水切り１４の固定部１４ａの下面には気密材１５がその全長に渡って固定され、気密材１５の外面側の高さ方向の途中部には外部側下がりに傾斜した気密材水切り部１６が一体的に形成され、気密材１５は圧接面１５ａにおいて下側の溝内壁５ｂの上面に気密状に圧接されている。
【００３６】
尚、内壁水切り１４は横ジョイント３の全長に渡って設けることが好ましいが、縦ジョイント２の下側にのみ或いは縦ジョイント２の下側及びその周辺に設けてもよい。また、内壁水切り１４と気密材１５とは別部材で構成してもよいし、一体成形品で構成してもよい。更に、気密材水切り部１６は省略することも可能である。
【００３７】
上下の外装パネル１の外壁部間には通気排水口２２が左右方向に連続的に形成され、上側の溝外壁５ａには外壁部よりも外方へ突出状に延びる上部雨除け材１７がビス部材１８で固定され、下側の溝外壁５ａには内部側上がりに傾斜した下部雨除け材１９が設けられ、左右の外装パネル１の下部雨除け材１９は現場にて施工した継ぎ手シールにより接着されている。尚、この上部雨除け材１７は、通気排水口２２からの雨水の侵入を防止する上で設けることが好ましいが、省略することも可能である。また、内壁水切り１４を省略して、下部雨除け材１９を上側の溝内壁５ｂ或いは溝底壁５ｃに直接的に固定してもよい。
【００３８】
内壁水切り１４には外部側下がりに傾斜した水切り部１４ｂが形成され、下部雨除け材１９の上端部は水切り部１４ｂの下面の途中部に当接され、上下の外装パネル１の横溝７は下部雨除け材１９と内壁水切り１４により上下に区画されている。水切り部１４ｂは、工場にて接着した継ぎ手シール２０を介して縦ジョイント２の縦気密材１０に水密状に接着されており、両者の接続部分における信頼性を十分に確保できるように構成されている。また、左右の外装パネル１の下部雨除け材１９は、継ぎ手シール２１を介して水密状に相互に接着されている。この継ぎ手シール２１は現場にて接着することになるが、外装パネル１の上側に露出する下部雨除け材１９上に接着するので、目視しやすい状態で接着することが可能で、接続部分の信頼性を十分に確保できる。
【００３９】
気密材１５は発泡ゴムなどの軟質ゴムで構成され、雨除け材１７，１９と、内壁水切り１４とは硬質な合成ゴム材料或いは合成樹脂材料で構成されている。これらの部材は、製作コストを低減するため押出成形により製作することが好ましい。
【００４０】
この横ジョイント３では、通気排水口２２から上側の横溝７内に外気が導入されて、上側の横溝７内の風圧（圧力）が外部の風圧（外気圧）と略同じに設定され、また通気排水口２２を介して上側の横溝７内へ侵入しようとする雨水やその飛沫は、下部雨除け材１９に受け止められて、下部雨除け材１９に沿って外部側へ案内され、しかも内壁水切り１４が下部雨除け材１９の上端部に当接され、下側の横溝７側への雨水やその飛沫の侵入が阻止されるので、気密材１５に対して雨水やその飛沫が付着することが効果的に防止され、更に気密材１５に気密材水切り部１６を形成しているので、気密材１５と下側の外装パネル１の溝内壁５ｂとの圧接面１５ａに対する雨水の侵入がより一層効果的に防止される。このように、内壁水切り１４を有効活用して気密材１５側への雨水やその飛沫の侵入を阻止できるので、外装パネル１の厚さを５０ｍｍ以下に構成した場合でも、外装パネル１の厚さの範囲内に等圧排水ジョイントを無理なく組み付けることが可能となる。
【００４１】
また、縦ジョイント２の縦溝６の下側に横ジョイント３の内壁水切り１４と下部雨除け材１９とが配置され、縦溝６内に流入した雨水は横ジョイント３の内壁水切り１４と下部雨除け材１９とを介して通気排水口２２から外部へ円滑に排出できるので、縦ジョイント２に高さ方向に一定間隔おきにキャッチパンを設ける必要がない。このため、キャッチパンを省略した分だけ等圧排水ジョイントの製作コストを低減できるとともに、その施工作業を簡略にすることが可能となる。
【００４２】
次に、前記横ジョイント３の構成を部分的に変更した他の実施例について説明する。尚、前記実施例と同一部材には、同一符号を付してその詳細な説明を省略する。
１）図３に示す横ジョイント３Ａのように、前記内壁水切り１４に代えて、水切り部１４ｂと第２水切り部１４ｃとを上下に有し、水切り部１４ｂの下面の途中部が下部雨除け材１９の先端部に当接し、第２水切り部１４ｃの先端が下部雨除け材１９の下面の途中部に当接するように配置した内壁水切り１４Ａを設けてもよい。この場合には、通気排水口２２から気密材１５に至る経路を一層複雑にして、気密材１５側への雨水やその飛沫の侵入を一層効果的に防止し、横ジョイント３をより一層幅方向にコンパクトに構成することが可能となる。尚、水切り部１４ｂと第２水切り部１４ｃとは別部材で構成してもよい。
【００４３】
２）図４に示す横ジョイント３Ｂのように、前記実施例における横フレーム５と上部雨除け材１７と下部雨除け材１９と内壁水切り１４に代えてその形状を多少変更した、横フレーム５Ｂと上部雨除け材１７Ｂと下部雨除け材１９Ｂと内壁水切り１４Ｂとを設け、下部雨除け材１９Ｂを内部側上がりの傾斜状に形成し、内壁水切り１４Ｂの上面を外部側下がりの傾斜状に形成し、上部雨除け材１７の上端部を内壁水切り１４Ｂの下面の途中部に当接させ、内壁水切り１４Ｂの外端部に下方への折曲部３０を形成するとともに、気密材１５に代えて、横フレーム５の上側の溝内壁５ｂの下端と下側の溝内壁５ｂの上端とに相互に圧接される気密材１５Ｂをそれぞれ設けてもよい。
【００４４】
この横ジョイント３Ｂでは、前記実施例と同様に、通気排水口２２から上側の横溝７内に外気が導入されて、上側の横溝７内の風圧（圧力）が外部の風圧（外気圧）と略同じに設定され、また通気排水口２２を介して上側の横溝７内へ侵入しようとする雨水やその飛沫は、下部雨除け材１９Ｂに受け止められて、下部雨除け材１９Ｂに沿って外部側へ案内され、しかも内壁水切り１４Ｂが下部雨除け材１９の上端部に当接され、下側の横溝７内への雨水やその飛沫の侵入が阻止されるので、気密材１５Ｂに対して雨水やその飛沫が付着することが効果的に防止される。尚、仮想線で示すように、上側の気密材１５Ｂの外面側に下部雨除け材１９の底面側に当接する気密材水切り部１６を一体的に形成して、両気密材１５の圧接面１５ａへの雨水の侵入を一層効果的に防止できるようにしてもよい。
【００４５】
また、縦ジョイント２の縦溝６の下側に横ジョイント３Ｂの内壁水切り１４Ｂと下部雨除け材１９Ｂとが配置され、縦溝６内に流入した雨水は横ジョイント３Ｂの内壁水切り１４Ｂと下部雨除け材１９Ｂとを介して通気排水口２２から外部へ円滑に排出できるので、縦ジョイント２に高さ方向に一定間隔おきにキャッチパンを設ける必要がない。このため、キャッチパンを省略した分だけ等圧排水ジョイントの製作コストを低減できるとともに、その施工作業を簡略にすることが可能となる。
【００４６】
３）図５に示す横ジョイント３Ｃのように、前記実施例における横フレーム５と上部雨除け材１７と下部雨除け材１９と内壁水切り１４と気密材１５に代えてその形状を多少変更した、横フレーム５Ｃと上部雨除け材１７Ｃと下部雨除け材１９Ｃと内壁水切り１４Ｃと気密材１５Ｃとを設け、下部雨除け材１９Ｃを内部側上がりの傾斜状に形成するとともに、その先端部に雨水の乗り越えを阻止する水返し３１を一体的に形成し、内壁水切り１４Ｃとして、上側の横フレーム５Ｃの溝内壁５ｂの下端に固定した固定部１４ａと、固定部１４ａから外部側下がりの傾斜状に延びて、その先端部を水返し３１の上側に当接させた水切り部１４ｂと、上側の気密材１５Ｃの外面に沿って下側へ延びて、上下の気密材１５Ｃの圧接面１５ａを覆うように第３水切り部１４ｄとを有するものを用いてもよい。尚、第３水切り部１４ｄが第３内壁水切りに相当する。
【００４７】
この横ジョイント３Ｃでは、通気排水口２２を通って上側の横溝７に外気が導入され、また内壁水切り１４Ｃよりも上側の空間内には横フレーム５の両端部から外気が導入されて、上側の横溝７内が全体の風圧（圧力）が外部の風圧（外気圧）に調整され、また通気排水口２２を通って上側の横溝７内へ侵入しようとする雨水やその飛沫は、下部雨除け材１９Ｃ及び内壁水切り１４Ｃの水切り部１４ｂで受け止められて、下部雨除け材１９Ｃ及び水切り部１４ｂに沿って外部側へ案内され、しかも下部雨除け材１９Ｃの先端に形成した水返し３１で、下側の横溝７内への侵入が阻止されるので、気密材１５Ｃに対して雨水やその飛沫が付着することが効果的に防止され、更に内壁水切り１４Ｃに第３水切り部１４ｄを一体的に形成しているので、上下の気密材１５Ｃとして同一形状のものを採用して、その製作コストを抑制しつつ、上下の気密材１５Ｃの圧接面１５ａに対する雨水の侵入をより一層効果的に防止できることになる。
【００４８】
また、縦ジョイント２の縦溝６を流下した雨水は、下部雨除け材１９Ｃ及び内壁水切り１４Ｃの水切り部１４ｂで受け止められて、通気排水口２２から外部へ円滑に排出できるので、縦ジョイント２に高さ方向に一定間隔おきにキャッチパンを設ける必要がない。このため、キャッチパンを省略した分だけ等圧排水ジョイントの製作コストを低減できるとともに、その施工作業を簡略にすることが可能となる。
【００４９】
４）図６に示す横ジョイント３Ｆのように、前記実施例における下部雨除け材１９と内壁水切り１４に代えて、両者を一体化した下部雨除け兼内壁水切り６０を設けるとともに、継ぎ手シール２０，２１に代えて左右に隣接する下部雨除け兼内壁水切り６０の上側に両下部雨除け兼内壁水切り６０を連結する継ぎ手シール６１を下部雨除け兼内壁水切り６０の内部側の端部から外部側の端部にわたって設け、下部雨除け兼内壁水切り６０の内部側の端部に上側の溝内壁５ｂに嵌合固定される内部側固定部６０ａを形成し、下部雨除け兼内壁水切り６０の下面に気密材１５を固着し、下部雨除け兼内壁水切り６０の外部側の端部に下側の溝外壁５ａの上端部に嵌合固定される外部側固定部６０ｂを形成し、両固定部６０ａ，６０ｂ間に外部側下がりに傾斜した傾斜部６０ｃを形成してもよい。
【００５０】
この横ジョイント３Ｆにおいても、前記実施例と同様の効果が得られるとともに、前記実施例においける下部雨除け材１９及び内壁水切り１４を下部雨除け兼内壁水切り６０で構成し、継ぎ手シール２０，２１を継ぎ手シール６１で構成できるので、部品点数を少なくして、製作コストを格段に低減することが可能となる。
【００５１】
尚、この横ジョイント３Ｆでは、下部雨除け兼内壁水切り６０を上側の溝内壁５ｂの下端に組み付けた状態で、現場へ搬送し、現場において外部側固定部６０ｂを下側の溝外壁５ａの上端部に嵌合固定して、下部雨除け兼内壁水切り６０を組み付けることになる。また、図７に示す横ジョイント３Ｇのように、前記下部雨除け兼内壁水切り６０を内部側部材６０Ａと外部側部材６０Ｂとに分割構成し、外部側部材０Ｂの内部側端部に下側へ折曲するフック部６２を形成し、内部側部材６０Ａの外部側端部に上側へ向けて開口する嵌合溝６３を形成し、フック部６２を嵌合溝６３に嵌合させて内部側部材６０Ａと外部側部材６０Ｂとを連結してもよい。
【００５２】
次に、縦ジョイント２の他の実施例について説明する。尚、前記実施例と同一部材には同一符号を付してその詳細な説明を省略する。
１）図８に示す縦ジョイント２Ｄのように、前記実施例におけける縦気密材１０に代えて、左側の外装パネル１の溝内壁４ｂの右端部に嵌合固定されて、隣接する外装パネル１の溝内壁４ｂの左端部に圧接される縦気密材１０Ｄを設けてもよい。また、前記実施例における縦雨除け材１１に代えて、貫通孔１３及び通気排水口１２を有しない縦雨除け材１１Ｄであって、両端を左右の外装パネルの溝外壁４ａに嵌合固定した縦雨除け材１１Ｄを設けてもよい。但し、この場合、縦溝６内には下側の横ジョイント３の通気排水口２２から外気が導入され、縦溝６内が略大気圧に調整されることになる。
【００５３】
２）図９に示す縦ジョイント２Ｅのように、前記実施例における縦フレーム４、縦雨除け材１１、縦気密材１０の構成を多少変更した縦フレーム４Ｅ、縦雨除け材１１Ｅ、縦気密材１０Ｅを用い、左右に隣接配置される外装パネル１の溝内壁４ｂの端部に、相互に圧接される縦気密材１０Ｅをそれぞれ設け、両縦気密材１０Ｅの圧接により縦溝６から室内側への通気を遮断し、また溝外壁４ａに２枚の雨除けフィン３２を有する雨除け材１１Ｅをそれぞれ設け、両雨除け材１１Ｅの雨除けフィン３２を相互に重ね合わせて、縦溝６内への雨水の侵入を防止するようにしてもよい。尚、符号３３は、外装パネル１を支持するために、縦ジョイント２の背後に設けたバックマリオンであり、本発明ではこのバックマリオン３３に縦気密材１０Ｅを設けることなく、外装パネル１の厚さの範囲内で等圧排水ジョイントを構成できる。
【００５４】
尚、縦ジョイント２，２Ｄ，２Ｅの雨除け材及び気密材は、前述したような構成以外の周知の構成のものを採用することが可能である。
【００５５】
次に、前記建築物の外壁部の適所に窓ガラス４０を組み付ける場合について説明する。
図１０，図１１に示すように、建築物の外壁部には窓ガラス４０を組み付けるための開口部４１が形成され、開口部４１の左右に隣接する外装パネル１の開口部４１側の縁部にはその全長に渡って縦フレーム４（図２，図１０（ｂ）参照）が設けられ、開口部４１の上下に隣接する外装パネル１の開口部４１側の縁部にはその全長に渡って横フレーム５が設けられ、縦フレーム４には開口部４１の中央部側へ向けて開口する縦溝６が形成され、横フレーム５には開口部４１の中央部側へ向けて開口する横溝７が形成され、窓ガラス４０はその外縁部を溝６，７内に装着して開口部４１を閉塞するように配置されるとともに、その外縁部と外装パネル１間に介装した等圧排水ジョイントを介して外装パネル１に固定支持されている。
【００５６】
等圧排水ジョイントは、窓ガラス４０の上縁部と横フレーム５間に設けられる上側横ジョイント４２と、窓ガラス４０の下縁部と横フレーム５間に設けられる下側横ジョイント４３と、窓ガラス４０の左右の縁部と縦フレーム４間に設けられる縦ジョイント（図示外）とを備えている。尚、縦ジョイントは周知の構成のものなのでその詳細な説明を省略する。
【００５７】
上側横ジョイント４２について説明すると、図１０に示すように、上側横フレーム５の溝内壁５ｂの下端部と窓ガラス４０の上縁部間には上側気密材４４，４５が設けられ、この上側気密材４４，４５により横溝７と室内側との通気が遮断されている。上側横フレーム５の溝外壁５ａの下端部には上側雨除け材４６が固定されて窓ガラス４０の上縁部に圧接され、上側雨除け材４６により横溝７内への雨水の侵入が防止されている。上側雨除け材４６の外面側には長さ方向に一定間隔おきに外部空間と横溝７とを連通する通気排水口４７が形成され、この通気排水口４７により横溝７内の風圧（圧力）が外部の風圧（外気圧）と略同じに設定されて、横溝７内への雨水の侵入が防止されるとともに、この通気排水口４７を介して横溝７内に侵入した雨水を外部へ排出できるように構成されている。
【００５８】
また、上側雨除け材４６には内部側上がりに延びて溝内壁５ｂに当接され、接着剤にて溝内壁５ｂに固定される雨除け材延長部４６ａが一体的に形成され、通気排水口４７或いは上側雨除け材４６と溝外壁５ａ間の隙間から横溝７内に侵入した雨水が上側気密材４４側へ侵入しないように構成され、これにより等圧排水ジョイントの水密性が高められている。
【００５９】
左右に隣接する外装パネル１の縦ジョイントの下端における溝内壁４ｂの内面には内壁水切り４８が取付けられ、雨除け材延長部４６ａの先端部は内壁水切り４８の下面に当接され、縦溝６に沿って流下する雨水は、内壁水切り４８及び上側雨除け材４６で受け止められて通気排水口４７を通って外部に排出されるように構成され、雨除け材延長部４６ａよりも下側の縦気密材１０は雨水の侵入から守られている。
【００６０】
下側横ジョイント４３について説明すると、図１１に示すように、下側横フレーム５の溝内壁５ｂの上端部と窓ガラス４０の下縁部間には下側気密材５０，５１とが設けられ、この下側気密材５０，５１により横溝７と室内側との通気が遮断されている。下側横フレーム５の溝外壁５ａの下端部には下側雨除け材５２が固定されて窓ガラス４０の下縁部に圧接され、下側雨除け材５２により横溝７内への雨水の侵入が防止されている。下側気密材５１には窓ガラス４０の下側を通って溝内壁５ｂに当接されて接着された内壁水切り５３が一体的に設けられ、下側雨除け材５２と窓ガラス４０間の隙間から侵入した雨水は、内壁水切り５３上に受け止められて、縦ジョイント側へ移動し、縦ジョイントの縦雨除け材１１の外面ないしは縦溝６を通って下段より外部へ排出されるか、或いは内壁水切り５３の先端部に設けた通気排水口５４を通って縦雨除け材８の内部排水空間８へ導入され、内部排水空間８から外部へ排出されることになる。また、内壁水切り５３よりも下方に配置される縦気密材１０及び下側気密材５０は、内壁水切り５３により雨水の侵入から守られている。
【００６１】
尚、本実施例では、ハニカムパネルからなる建築物の外装パネルの一部を窓ガラス４０で構成する場合について説明したが、サッシの枠体に窓ガラスを組み付ける際にも、同様の横ジョイント４２，４３を採用することが可能である。
【００６２】
【発明の効果】
本発明に係る等圧排水ジョイントによれば、雨除け材により外部空間から溝内への雨水の侵入が防止されるとともに、雨除け材に形成した通気排水口により、溝内の風圧（圧力）が外部の風圧（外気圧）と略同じに設定されて、外部空間との圧力差による溝内への雨水の侵入が防止され、また万一溝内に雨水が侵入しても、侵入した雨水は通気排水口を介して外部へ排出され、気密材に対する雨水が付着が防止されるので、パネルのジョイント部分における高度な水密性を確保することが可能となる。
【００６３】
また、この等圧排水ジョイントでは、縦ジョイントの縦溝を流下する雨水を内壁水切り及び横ジョイントの下側雨除け材で受け止めて外部へ排出するので、キャッチパンを省略することが可能となり、等圧排水ジョンとの製作コストを低減できるとともに、現場での施工作業を軽減できる。
【００６４】
更に、内壁水切りを用いて横ジョイントの気密材側への雨水やその飛沫の侵入を防止できるので、パネルの厚さを例えば５０ｍｍ以下の薄肉に構成して、雨除け材と気密材とを接近配置しつつ、気密材に対して雨水が付着しないようにして、室内側への雨水の侵入を確実に防止できる。しかも、雨除け材、気密材、内壁水切りを合成ゴムや合成樹脂材料の押出成形体で構成しているので、これらの部材を安価に製作することが可能となる。
【００６５】
更にまた、内壁水切りを横ジョイントの気密材に一体的に形成しているので、等圧排水ジョイントの水密性を向上できるとともに、内壁水切りを気密材とともに組み付けることが可能となり、内壁水切り及び気密材の施工作業が煩雑になることを防止できる。しかも、内壁水切りを気密材と一体成形できるので、内壁水切りを設けることによる製作コストの上昇も抑制できる。
【００６６】
ここで、内壁水切りを横ジョイントの全長に渡って設けると、縦ジョイントの縦溝を流下する雨水の量が多くなっても、縦溝を流下する雨水を内壁水切り及び横ジョイントの雨除け材を介して確実に且つ円滑に外部へ排出することが可能となる。
【００６７】
内壁水切りの下面の途中部を横ジョイントの下側雨除け材の先端部に当接させると、横ジョイントの雨除け材を乗り越えて溝内に侵入しようとする雨水を内壁水切りの先端側部分で阻止することが可能となり、溝内への雨水の侵入を一層効果的に防止できる。
【００６８】
内壁水切りの先端部が直接横ジョイントの溝外壁に当接させると、内壁水切りで受け止めた雨水が溝外壁に沿って流下して、下側雨除け材のうちの建築物の外部側で受け止められて排出されるので、横ジョイントの気密材側への雨水やその飛沫の侵入を一層効果的に防止できる。
【００６９】
内壁水切りに下側雨除け材の下側へ延びる第２内壁水切りを設けると、雨水やその飛沫が下側雨除け材を乗り越えた場合でも、下側雨除け材を乗り越えた雨水やその飛沫を第２内壁水切りにより外部へ排出できるので、横ジョイントの気密材側への雨水やその飛沫の侵入を一層効果的に防止できる。
【００７０】
内壁水切りに気密材の圧接面を覆う第３内壁水切りを設けると、第３内壁水切りにより、気密材の圧接面に対する雨水やその飛沫の侵入をより効果的に防止できる。しかも、上下に配置する気密材として同一形状のものを採用できるので、気密材の製作コストが高くなることもない。
【００７１】
内壁水切りに代えて、横ジョイントの下側雨除け材に建築物の内部側へ向けて斜め上方へ延びて溝内壁または溝底壁に当接または固定した雨除け材延長部を一体的に形成すると、等圧排水ジョイントの水密性を向上しつつ、製作コストの上昇を抑制でき、しかも施工作業が煩雑になることを防止できる。
【００７２】
横ジョイントの少なくとも上側の溝内壁に気密材を設けるとともに、この気密材に建築物の外部側へ向けて斜め下方へ延びる気密材水切りを設けると、万一気密材に雨水が付着しても、この雨水は気密材水切りにより、横ジョイントの溝内に滴下され、気密材の気密圧接面側へ侵入することが防止されるので、室内側への雨水の侵入を一層効果的に防止することが可能となる。尚、この気密材水切りを縦ジョイントの縦気密材の設けてもよい。この場合には、縦気密材の左右からの雨水飛沫の防止に有効である。
【００７３】
本発明に係る第２及び第３の等圧排水ジョイントによれば、雨除け材により外部空間から溝内への雨水の侵入が防止されるとともに、雨除け材に設けた通気排水口により、溝内の風圧（圧力）が外部の風圧（外気圧）と略同じに設定されて、外部空間との圧力差による溝内への雨水の侵入が防止され、また万一溝内に雨水が侵入しても、侵入した雨水は通気排水口を介して外部へ排出され、気密材に対する雨水の付着が防止されるので、パネルのジョイント部分における高度な水密性を確保することが可能となる。
【００７４】
第２の等圧排水ジョイントでは、上側の横ジョイントの雨除け材に斜め上方へ延びて溝内壁または溝底壁または内壁水切りに当接または固定した雨除け材延長部を形成しているので、溝内における雨除け材延長部よりも上側の空間に対して、雨水等が侵入してもこれを雨除け材延長部を介して円滑に外部へ排出することが可能となる。しかも、雨除け材延長部は雨除け材に一体形成されているので、押出成形等により容易に且つ安価に製作することが可能で、従来の雨除け材と同様にして組み付けることが可能で、組付性が低下することもない。
【００７５】
第３の等圧排水ジョイントでは、下側の横ジョイントの気密材に斜め下方へ延びて溝外壁または溝底面に当接または係合する気密材と一体の内壁水切り部を形成しているので、下側の水平ジョイントの雨除け材とパネル間の隙間から侵入した雨水は、内壁水切りにより受け止められ、中央部は縦ジョイントの雨除け材の外面に、左右は枠溝内を流下し、下段ジョイントで外部に排水され、内壁水切りによって覆われた縦気密材には雨水が付着しない。しかも内壁水切りは気密材に一体に形成されているので、押出成形等により容易に且つ安価に製作することが可能で、従来の気密材と同様にして組み付けることが可能で、組付性が低下することもない。
【図面の簡単な説明】
【図１】  横ジョイントの縦断面図
【図２】  縦ジョイントの横断面図
【図３】  他の構成の横ジョイントの縦断面図
【図４】  他の構成の横ジョイントの縦断面図
【図５】  他の構成の横ジョイントの縦断面図
【図６】  他の構成の横ジョイントの縦断面図
【図７】  他の構成の横ジョイントの縦断面図
【図８】  他の構成の縦ジョイントの横断面図
【図９】  他の構成の縦ジョイントの横断面図
【図１０】  窓ガラスと外装パネルとの上側横ジョイントの（ａ）は縦断面図、（ｂ）は縦ジョイント部分における縦断面図
【図１１】  窓ガラスと外装パネルとの下側横ジョイントの（ａ）は縦断面図、（ｂ）は縦ジョイント部分における縦断面図
【図１２】  従来技術に係る縦ジョイントの横断面図
【図１３】  図１２のXIII-XIII線断面図
【符号の説明】
１      外装パネル        ２      縦ジョイント
３      横ジョイント      ４      縦フレーム
４ａ    溝外壁            ４ｂ    溝内壁
４ｃ    溝底壁            ５      横フレーム
５ａ    溝外壁            ５ｂ    溝内壁
５ｃ    溝底壁            ６      縦溝
７      横溝              ８      内部排水空間
１０    縦気密材          １１    縦雨除け材
１１ａ  仕切板            １１ｂ  取付部
１２    通気排水口        １３    貫通孔
１４    内壁水切り
１４ａ  固定部            １４ｂ  水切り部
１５    気密材            １５ａ  圧接面
１６    気密材水切り部    １７    上部雨除け材
１８    ビス部材          １９    下部雨除け材
２０    継ぎ手シール      ２１    継ぎ手シール
２２    通気排水口
３Ａ    横ジョイント      １４ｃ  第２水切り部
１４Ａ  内壁水切り
３Ｂ    横ジョイント      ５Ｂ    横フレーム
１５Ｂ  気密材            １９Ｂ  下部雨除け材
１７Ｂ  上部雨除け材      ３０    折曲部
３Ｃ    横ジョイント      ５Ｃ    横フレーム
１４Ｃ  内壁水切り        １４ｄ  第３水切り部
１５Ｃ  気密材            １７Ｃ  上部雨除け材
１９Ｃ  下部雨除け材      ３１    水返し
２Ｄ    縦ジョイント      １１Ｄ  縦雨除け材
１５Ｄ  気密材
２Ｅ    縦ジョイント      ４Ｅ    縦フレーム
１０Ｅ  縦気密材          １１Ｅ  縦雨除け材
３２    雨除けフィン      ３３    バックマリオン
４０    窓ガラス          ４１    開口部
４２    上側横ジョイント  ４３    下側横ジョイント
４４    上側気密材        ４５    バッカー
４６    上側雨除け材      ４６ａ  雨除け材延長部
４７    通気排水口        ５０    下側気密材
５１    下側気密材        ５２    下側雨除け材
５３    内壁水切り        ５４    通気排水口
３Ｆ    横ジョイント
６０    下部雨除け兼内壁水切り
６１    継ぎ手シール      ６０ａ  内部側固定部
６０ｂ  外部側固定部      ６０ｃ  傾斜部
３Ｇ    横ジョイント
６０Ａ  内部側部材        ６０Ｂ  外部側部材
６２    フック部          ６３    嵌合溝
【図１】
0003744398.tif 000002
【図２】
0003744398.tif 000003
【図３】
0003744398.tif 000004
【図４】
0003744398.tif 000005
【図５】
0003744398.tif 000006
【図６】
0003744398.tif 000007
【図７】
0003744398.tif 000008
【図８】
0003744398.tif 000009
【図９】
0003744398.tif 000010
【図１０】
0003744398.tif 000011
【図１１】
0003744398.tif 000012
【図１２】
0003744398.tif 000013
【図１３】
0003744398.tif 000014